(57)【要約】【課題】高さ寸法の調整量が大きく、なおかつ、被取付枠の網戸用のレールや外窓用のレールに装着することができる網戸装置を提供すること。【解決手段】上部の網戸体１の上枠４の上端面に凹条の係合部１２を設け、縦枠３・３に摺動溝１４・１４を設ける。縦枠３に固定される接続具９は、摺動溝１４に固定される固定部１８、固定部１８の下面の蓋部１７及び固定部１８の一面側に連結部２３を介して摺動部１９を一体成形してある。摺動部１９の下部に固定ねじ１１を螺合してある。下部の網戸体２の下枠８は、凹条部に３条の係合部１３・・・１３を設けた調整具１６・１６を２箇所に設ける。縦枠６・６に蟻溝状の摺動溝１５・１５を設ける。縦枠６・６に固定される接続具１０は、縦枠６の摺動溝１５に固定される固定部２１、固定部２１の上面の蓋部２０及び固定部２１の一面側に連結部２４を介して摺動部２２を一体成形してある。【選択図】図５
2005350932.tif 000002
【特許請求の範囲】
【請求項１】
一対の縦枠と上下枠に網を張設してある２枚の網戸体を、それぞれの縦枠を対向して上下摺動可能に接続し、上部の網戸体の上部及び下部の網戸体の下部には、被取付枠のレールに係合する係合部をそれぞれ設けて成り、これら係合部は、少なくとも同一垂直線上に存在するように設けて成り、被取付枠の上下のレール間に装着される網戸装置。
【請求項２】
一対の縦枠と上下枠に網を張設してある２枚の網戸体を、それぞれの縦枠を対向して上下摺動可能に接続し、上部の網戸体の上部及び下部の網戸体の下部には、取付枠のレールに係合する係合部をそれぞれ設けて成り、下部の網戸体の係合部は、上部の網戸体の係合部と同一垂直線上及びそれより外方に存在するように複数設けて成り、被取付枠の上下のレール間に装着される網戸装置。
【発明の詳細な説明】
【技術分野】
【０００１】
本発明は、被取付枠である網戸用のレールや外窓用のレールに装着して使用する網戸装置に関するものである。
【背景技術】
【０００２】
従来より、実願平５−７３１３９号（実開平７−３８５７３号）考案のように、縦長の矩形枠に網を張って、被取付枠の網戸用のレールや外窓用のレールに装着して使用する網戸装置は提案されている。
【特許文献１】実開平７−３８５７３号公報
【発明の開示】
【発明が解決しようとする課題】
【０００３】
上記従来例においては、高さ寸法の調整ができないし、上枠や下枠に調整部を設けることは行なわれているが、その調整量はわずかであるので、種々の被取付枠の高さ寸法に適応させるには、高さ寸法の異なる多数の網戸装置を用意する必要があり、極めて不経済であるという問題がある。本発明は、この問題を解決するために、高さ寸法の調整量が大きく、なおかつ、上下レールが同一垂直線上にある被取付枠の網戸用のレールや外窓用のレールに装着することができる網戸装置を提供することを課題としている。
【課題を解決するための手段】
【０００４】
本発明は、上記の課題を解決するための網戸装置であり、請求項１の発明は、一対の縦枠と上下枠に網を張設してある２枚の網戸体を、それぞれの縦枠を対向して上下摺動可能に接続し、上部の網戸体の上部及び下部の網戸体の下部には、被取付枠のレールに係合する係合部をそれぞれ設けて成り、これら係合部は、少なくとも同一垂直線上に存在するように設けて成り、被取付枠の上下のレール間に装着される網戸装置であり、請求項２の発明は、一対の縦枠と上下枠に網を張設してある２枚の網戸体を、それぞれの縦枠を対向して上下摺動可能に接続し、上部の網戸体の上部及び下部の網戸体の下部には、取付枠のレールに係合する係合部をそれぞれ設けて成り、下部の網戸体の係合部は、上部の網戸体の係合部と同一垂直線上及びそれより外方に存在するように複数設けて成り、被取付枠の上下のレール間に装着される網戸装置である。
【発明の効果】
【０００５】
以上のように本発明によれば、２枚の網戸体をそれぞれの縦枠を対向して上下摺動可能に接続したので、高さ寸法の調整量が大きく、種々の被取付枠の高さ寸法に適応させることができ、なおかつ、上下レールが同一垂直線上に存在する被取付枠にも装着することができるという効果がある。
【０００６】
さらに、請求項２の発明においては、下部の網戸体の係合部は、上部の網戸体の係合部と同一垂直線上及びそれより外方に存在するように複数設けたので、上下レールが同一垂直線に存在する被取付枠だけでなく、下レールが上レールより外方に出ている被取付枠の場合でも、網戸装置が垂直又は垂直に近い状態になるように複数の係合部から選んで装着できるという効果もある。
【実施例】
【０００７】
本発明の網戸装置は、２枚の網戸体１・２を上下摺動可能にそれぞれの一面を重ねて接続して構成してあり、被取付枠Ｓの一側部に、上下のレールＨ・Ｌ間に係合させて取り付けられ、外側の窓Ｗを、この網戸装置の幅だけ開放して使用する。
なお、本実施例のように、本発明の網戸装置を取り付ける上下のレールが網戸用のレールの場合は、内外両方の窓の開閉に支障はないが、本発明の網戸装置は、外側の窓用のレールに取り付けることもでき、この場合は、外側の窓は、網戸装置に当たるので全開することはできなくなる。
【０００８】
上部の網戸体１は、縦枠３・３、上枠４及び下枠５によって組まれた枠体に網２５を張って構成されている。
上枠４の上端面には、長手方向（横方向）に沿って上方に開口する凹条の係合部１２を設け、縦枠３・３には、長手方向（縦方向）に沿って一面側に開口する蟻溝状の摺動溝１４・１４をそれぞれ設けてある。
【０００９】
縦枠３・３の下端部には、接続具９・９を固定してある。接続具９は、縦枠３の摺動溝１４に挿入されて固定される固定部１８、固定部１８の下面に鍔状に張り出している蓋部１７及び固定部１８の一面側に括れている連結部２３を介して摺動部１９を一体成形してある。摺動部１９は、縦に細長く蓋部１７より下方にも突出して設けられており、そこにナット３５を設けてこのナット３５に固定ねじ１１を螺合してあり、後述するように、摺動部１９は、下部の網戸体２の縦枠６に設けた摺動溝１５内を摺動できるようになっており、固定ねじ１１を締め付けると摺動不能になるようになっている。
【００１０】
下部の網戸体２は、縦枠６・６、上枠７及び下枠８によって組まれた枠体に網２６を張って構成されている。
下枠８は、上部の網戸体１の存在する面側に突出して下方に開口する凹条部を設けて成り、この凹条部に３条の係合部１３・・・１３を設けた合成樹脂製の調整具１６・１６を２箇所に設けてある。
【００１１】
そして、網戸装置を垂直にした状態で、上部の網戸体１の上枠４に設けた係合部１２と、下部の網戸体２の下枠８に設けた最も室内側の係合部１３とが同一垂直線Ｖ上に存在するように設けて成る。なお、本実施例では、下部の網戸体２の下枠８に複数の係合部１３・・・１３を設けてあるが、請求項１の発明においては、下部の網戸体２の下枠８には、上部の網戸体１の上枠４に設けた係合部１２と同一垂直線Ｖ上に１つの係合部１３が存在するだけでもよく、要するに、上枠４の係合部１２と同一垂直線Ｖ上に少なくとも係合部１３が存在していればよい。
【００１２】
また、縦枠６・６には、長手方向（縦方向）に沿って一面側に、上部網戸体１の縦枠３の摺動溝１４に対向するように、開口する蟻溝状の摺動溝１５・１５をそれぞれ設けてある。
【００１３】
縦枠６・６の上端部には、接続具１０・１０を固定してある。接続具１０は、縦枠６の摺動溝１５に挿入されて固定される固定部２１、固定部２１の上面に鍔状に張り出している蓋部２０及び固定部２１の一面側に括れている連結部２４を介して摺動部２２を一体成形してある。後述するように、摺動部２２は、上部の網戸体１の縦枠３に設けた摺動溝１４内を摺動できるようになっている。
【００１４】
下部の網戸体２の縦枠６・６の摺動溝１５内には、接続具１０の固定部２１と、接続具９の摺動部１９との間に位置するように、角棒状のスペーサー２７が入っている。上下部の網戸体１・２をそれぞれ上方向・下方向に伸ばした時、固定部２１と摺動部１９がこのスペーサー２７の上下端に当接して、上下部の網戸体１・２の重なり寸法を一定以上確保し、重なり部分の強度が弱くならないようにしている。
【００１５】
上部の網戸体１の縦枠３・３には、長手方向に沿って室内側に突出する虫止め２８・２８を、下部の網戸体２の縦枠６・６には、長手方向に沿って室内側に突出する虫止め２９・２９を取り付けてある。虫止め２８と虫止め２９の先端縁は揃えて設けてある。
【００１６】
本発明の網戸装置の高さ寸法を調整するには、両側の固定ねじ１１・１１を緩め、上下部の網戸体１・２を上下に伸縮して、固定ねじ１１・１１を締め付ければよい。固定ねじ１１を締め付けると、この固定ねじ１１とナット３５で摺動溝１５の開口両端縁部を挟み込むことにより固定される。
上下部の網戸体１・２を上下に伸縮すると、接続具９の摺動部１９が下部の網戸体２の縦枠６に設けた摺動溝１５内を摺動すると共に、接続具１０の摺動部２２が上部の網戸体１の縦枠３に設けた摺動溝１４内を摺動する。
【００１７】
図１０は、上部の網戸体の縦枠に固定される接続具３０の他の実施例であって、摺動部３１の下部に圧縮ばね等の弾性体３３を介して固定基体３２を取り付けてあり、固定基体３２に固定ねじ３４を螺合してある。なお、その他の構成は、上記実施例と同じである。
この構成とすると、上下部の網戸体が弾性体３３を介して接続されていることになり、この弾性力により、網戸装置を上下レールに突っ張って取り付けることができるので、風等によりがたつくことがない、上下レールから外れにくい、固定ねじによる固定を解除せずに上下ケンドンで着脱できるようにすることも可能である等の効果を奏することができる。
【図面の簡単な説明】
【００１８】
【図１】使用状態を示す正面図である。
【図２】図１の一部省略したＡ−Ａ線拡大断面図である。
【図３】図１の一部省略したＢ−Ｂ線拡大断面図である。
【図４】図１の一部省略したＣ−Ｃ線拡大断面図である。
【図５】全体斜視図である。
【図６】要部の斜視図である。
【図７】図５の一部省略したＤ−Ｄ線拡大断面図である。
【図８】図６の一部省略したＥ−Ｅ線拡大断面図である。
【図９】図６の一部省略したＦ−Ｆ線拡大断面図である。
【図１０】接続具の他の実施例を示す図６と同様の斜視図である。
【符号の説明】
【００１９】
１    ラッチ本体
２    ストライク
３    ラッチボルト
７    垂直板
８    水平板
９    当接面
１０    摺接面
１２    受孔
１３    当受部
１４    収容部
【図１】
2005350932.tif 000003
【図２】
2005350932.tif 000004
【図３】
2005350932.tif 000005
【図４】
2005350932.tif 000006
【図５】
2005350932.tif 000007
【図６】
2005350932.tif 000008
【図７】
2005350932.tif 000009
【図８】
2005350932.tif 000010
【図９】
2005350932.tif 000011
【図１０】
2005350932.tif 000012
【手続補正書】
【提出日】平成16年12月9日(2004.12.9)
【手続補正１】
【補正対象書類名】明細書
【補正対象項目名】００１９
【補正方法】変更
【補正の内容】
【００１９】
１    網戸体
２    網戸体
３    縦枠
４    上枠
５    下枠
６    縦枠
７    上枠
８    下枠
１２    係合部
１３    係合部